(57)【特許請求の範囲】
【請求項１】
１動作期間(EBn) 後に、通信装置に含まれる主動作ユニット（１０）についての動作状態データを該通信装置に含まれる副ユニット（１１）の状況メモリー（１８）に蓄積し、その後に、該通信装置をエネルギー節約モードに変えるために該主動作ユニット（１０）のための電圧供給をオフに切り換え、
該主動作ユニット（１）のための電圧供給をオンに切り換え、その後、次の動作期間(EB(n + 1)) の間該通信装置を動作させるために、該蓄積されていた動作状態データを、該状況メモリー（１８）から該主動作ユニット（１０）に送る、
方法。
【請求項２】
それぞれの所定待機時間(Tｗ) が経過した後に該主動作ユニット（１０）のための電圧供給が該副ユニット（１１）からのスイッチオン信号（ＯＮ）によってオンに切り換えられるようになっている請求項１に記載の方法。
【請求項３】
該主動作ユニット（１０）のための電圧供給がオンに切り換えられた後の時間（t ｉ) に、次の動作期間(EB)の開始時間(tＢ) を画定するために時間インジケータが作られる請求項１又は２に記載の方法。
【請求項４】
その主動作ユニット（１０）が定期的に動作するようになっている通信装置において該主動作ユニット（１０）が実際にオフにされている時間の長さ(Tａ) を最適にするために、開始時間(tＢ) のための時間インジケータと次の動作期間(EB)との間の時間間隔(tＢ - tｉ) が該主動作ユニット（１０）によって測定される請求項３に記載の方法。
【請求項５】
該時間インジケータと次の動作期間(EB)の開始時間(tＢ) との間の時間間隔(tＢ - tｉ) の関数として該副ユニット（１１）のための待機時間(Tｗ) が該主動作ユニット（１０）によって予め決められる請求項３又は４に記載の方法。
【請求項６】
各動作期間(EB)について該待機時間(Tw)を画定し直すことができる請求項５に記載の方法。
【請求項７】
該待機時間(Tｗ) の終わりはクロックド・カウンター（２４）の助けで該副ユニット（１１）において画定されるようになっており、該カウンターの進行中のカウント（Ａ）は、該待機時間(Tｗ) に対応する第１比較値（Ｂ）と比較されて該主動作ユニット（１０）から該副ユニット（１１）に送られるようになっている請求項２から６のいずれか一項に記載の方法。
【請求項８】
該待機時間(Tｗ) が経過した後に該カウンター（２４）は再始動され、その進行中のカウント（Ａ）は該時間インジケータを該主動作ユニット（１０）に供給するために第２比較値（Ｃ）と比較され、この時間インジケータは次の動作期間(EB)の開始時間(tＢ) を画定するために使われる請求項７に記載の方法。
【請求項９】
該カウンター（２４）は該主動作ユニット（１０）から供給されるソフトウェア・リセット・コマンド(TC)の助けによって始動されるようになっている請求項７又は８に記載の方法。
【請求項１０】
該主動作ユニット（１０）についての動作状態データを該副ユニット（１１）の状況メモリー（１８）に蓄積すると共に該動作状態データを該状況メモリー（１８）から読み出すためにクロック信号が該主動作ユニット（１０）から該副ユニット（１１）に送られるようになっている請求項１から９のいずれか一項に記載の方法。
【請求項１１】
該主動作ユニット（１０）の動作期間(EB)は、定期的に繰り返され、その間に該主動作ユニット（１０）がより高いレベルの通信装置とデータを交換するタイムスロットに整合させられる請求項１から１０のいずれか一項に記載の方法。
【請求項１２】
少なくとも複数の動作期間(EB)から成る期間の間に定期的に発生する外部の事象により、特に該主動作ユニット（１０）によって受信されることのできるバーストによって、動作期間(EB)が開始される請求項１から１１のいずれか一項に記載の方法。
【請求項１３】
動作期間(EB)はいずれの場合にもその開始時間が時間インジケータの助けによって画定されたならば直ちに開始される請求項１から１２のいずれか一項に記載の方法。
【請求項１４】
該動作期間(EB)の間にオンに切り替わった後にその電圧供給を維持すると共に該動作期間(EB)が終わった後に自分をオフに切り換えるために該主動作ユニット（１０）はスイッチオン・ホールド信号（ＯＮ−Ｈ）を作る請求項１から１３のいずれか一項に記載の方法。
【請求項１５】
通信装置、特に定期的に繰り返されるタイムスロットの間に主モジュールとデータを交換する通信ユニットの副モジュールにおいて、該通信装置は、割り当てられた機能を実行するための主動作ユニット(１０)と、該主動作ユニット（１０）についての動作状態データのための状況メモリー（１８）を有する副ユニット（１１）と、該主動作ユニット（１０）のための電圧供給を制御するタイミング回路とを有する通信装置において、
前記タイミング回路（２０）は、１動作期間（EBn）の後に、前記主動作ユニット（１０）についての動作状態データが前記副ユニット（１１）内の前記状況メモリー（１８）に蓄積され、その後に、前記通信装置をエネルギー節約モードに変えるために前記主動作ユニット（１０）のための電圧供給をオフに切り替えるようになっており、
前記タイミング回路（２０）は、前記主動作ユニット（１０）のための電圧供給をオンに切り替え、その後、次の動作期間（EB(n+1)）の間前記通信装置を動作させるために、前記格納されていた動作状態データが前記状況メモリー（１８）から前記主動作ユニット（１０）に送信されるようになっている、
通信装置。
【請求項１６】
該タイミング回路（２０）はクロックド・カウンター（２４）を有し、そのカウンター出力（２６）は比較回路（２７）の１入力に接続されており、この比較回路は、該主動作ユニット（１０）の電圧供給のためのスイッチオン信号（ＯＮ−ＮＢ）を作るために、該カウンター（２４）からのカウント（Ａ）を該主動作ユニット（１０）により画定される比較値（Ｂ）と比較するようになっている請求項１５に記載の通信装置。
【請求項１７】
該比較回路（２７）の１出力はホールド回路（２９）に印加され、このホールド回路は期間(Tｅ，ｍａｘ +  ΔT ｅ) にわたってスイッチオン信号（ＯＮ−ＮＢ）を放射するようになっている請求項１６に記載の通信装置。
【請求項１８】
該タイミング回路（２０）は第２比較回路（２８）を有し、この比較回路は、該主動作ユニット（１０）の次の動作期間(EB)の開始時間(tＢ) を画定するための時間インジケータを与える出力信号(IND')を該主動作ユニット（１０）に供給するために、該カウント（Ａ）を第２比較値と比較するようになっている請求項１６又は１７に記載の通信装置。
【請求項１９】
該第２比較回路（２８）の出力信号(IND')はゲート回路（３０）を介してインジケータ信号(IND) として該主動作ユニット（１０）に供給され、このゲート回路（３０）はスイッチオン・プロセスのタイプを表すイネーブル信号（Ｆ）によって制御されるようになっている請求項１８に記載の通信装置。
【請求項２０】
該副ユニット（１１）のカウンター（２４）は、該通信装置が関連している別の電子装置に統合されているクロック発生器によって刻時されるようになっている請求項１５から１９のいずれか一項に記載の通信装置。
【請求項２１】
該動作状態データを該状況メモリー（１８）に蓄積したり該動作状態データを該状況メモリーから読み出したりするために高速メモリー及び読み出しクロックをそれぞれ該副ユニット（１１）に送ることができるように、クロック信号ライン（１９’）とデータ・ライン（１０”）とを有するバス（１９）が該主動作ユニット（１０）と該副ユニット（１１）との間でのデータ交換のために設けられている請求項１５から２０のいずれか一項に記載の通信装置。
【発明の詳細な説明】
【０００１】
【発明の属する技術分野】
本発明は、主動作ユニット及び副ユニットを有する通信装置を制御する通信装置制御方法と、定期的に繰り返されるタイムスロットの間に主モジュールとデータを交換する通信装置、特に移動通信ユニットのサブモジュールとに関する。
【０００２】
【従来の技術】
通信装置の場合、特に電池又は再充電可能な蓄電池の補助により電圧が供給される移動通信ユニットの場合、電池又は再充電可能な蓄電池の耐用期間がなるべく長くなるように、そしてその通信装置がなるべく長期間にわたって動作できるようにするために、電力消費量をなるべく少なくする必要がある。この目的のために、無負荷時には、即ち何らの動作機能も必要無い時には、通信装置は普通は待機モード或いはエネルギー節約モードに切り換えられ、そのモードでは、給電される回路デバイスは、必要なときに通信装置の全動作能力を始動させるのに必要なものに限られる。
【０００３】
従って高速クロック発生器は普通はオフにされるけれども、機能ブロックの個々のメモリーに内蔵される動作状態データを蓄積し続けておくために個々の機能ブロックにはなお制御電圧が供給される。
【０００４】
従って、待機モードでは通信装置の電力消費量を相当減少させることができるけれども、その電力節約は、非常に小型の電池又は再充電可能な蓄電池を使用することができるために電力消費量が非常に少なくなければならない通信装置のためには不十分である。
【０００５】
【発明が解決しようとする課題】
ここから進んで、本発明は通信装置を制御する方法を提供するという目的に基づいており、その方法は極めて低い電力消費量を可能にし、従って非常に長い耐用寿命を電源に与える。更に、本発明の目的は、この方法で制御することのできる通信装置を提供することである。
【０００６】
【課題を解決するための手段】
本発明に従って、この目的は、主動作ユニット及び副ユニットを有する通信装置を制御する方法により達成され、その方法では、１動作期間後に、主動作ユニットについての動作状態データが副ユニット中の状況メモリーに蓄積され、該通信装置をエネルギー節約モードに変更するために主動作ユニットのための電圧供給はオフにされ、主動作ユニットのための電圧供給がオンにされた後に、次の動作期間中に該通信装置を作動させるために、蓄積されていた動作状態データが該状況メモリーから該主動作ユニットに送られる。
【０００７】
この様に本発明では通信装置が正しく動作するために必要な動作状態データは、この目的のために設けられていて副ユニットに割り当てられている状況メモリーに蓄積されるので、該状況メモリーを伴う副ユニットだけに電圧を供給すれば良いので、該主動作ユニットのための電圧源を完全にオフにすることができる。次の動作期間のために電圧供給がオンにされた後、蓄積されていた動作状態データは単に主動作ユニットに送り返され、主動作ユニットは次の動作期間の始まりの時から再び完全に動作できるようになる。
【０００８】
本発明の利点は、所定待機時間が経過した後に主動作ユニットのための電圧供給が副ユニットからのスイッチオン信号によってオンにされることから分かる。従って、動作状態データの蓄積とスイッチオン時間の監視との両方が副ユニットで実行され、通信装置の動作の信頼性に悪影響を及ぼさずに副ユニットを特に低電力消費向きに設計することができる。
【０００９】
次の動作期間の開始時間を画定するために、該主動作ユニットのための電圧供給がオンにされた後に時間インジケータを作るのが特に有利である。本発明に従って主動作ユニットがオンにされた後に作られる時間インジケータは、次の動作期間の開始前に一定時間間隔で発生する。この時間インジケータと次の動作期間の開始（この開始を、バーストを受信するなどの外来の事象によって例えば下位通信装置において定めることができる）との間の実際の時間間隔を検出することにより、エネルギー節約モードを長くしたり或いは短くしたりすることにより次の動作期間の実際の開始時間を仮定の開始時間と比較して時間インジケータと次の動作期間の開始との間の実際の間隔を指定された間隔に設定することができる。しかし、動作期間の開始が外来の事象に依存しないのであれば、次の動作期間（その間に、例えば、送信動作が実行される）は、時間インジケータから計算される所定時間が経過した後に開始する。従って、本発明に従って設けられる時間インジケータは、動作期間の始まりを定めるために用いられるだけではなくてエネルギー節約モードの持続時間を定めるためにも用いられることのできる絶対時間インジケータである。
【００１０】
この場合、本発明では、特に、その主動作ユニットが定期的に動作する通信装置において主動作ユニットがオフにされる実際の時間の長さを最適化するために、開始時間についての時間インジケータと次の動作期間との間の時間間隔が主動作ユニットによって測定される。特に使用される通信プロトコル又は使用される規格によってその時間間隔が決められる特定のタイムスロットの間だけ動作する移動通信ユニットのサブモジュールの場合には、主動作ユニットは２つの連続する動作期間の間で、即ち２つのタイムスロットの間で、なるべく長くエネルギー節約モードにとどまっていることが可能である。
【００１１】
この場合には、主動作ユニットによって副ユニットのための待機時間が時間インジケータと次の動作期間の開始時間との間の時間間隔の関数として予め決定されると好都合である。スイッチオン時間を画定する待機時間だけが主動作ユニットにおいて決定され、主動作ユニットから供給される対応する待機時間が副ユニットにおいてスイッチオン時間を画定するために必要とされる結果として、副ユニットを更に簡単化することができ、その結果として、その電力消費量を更に減少させることができる。
【００１２】
特に、本発明に従って各動作期間について待機時間を定め直すことが可能である。
【００１３】
副ユニットにおける待機時間の終わりがクロックド・カウンター（a clocked counter ）の助けによって定められるならばスイッチオン時間を特に容易に定めることができ、そのカウンターの進行中のカウントは該待機時間に対応する第１比較値と比較される、即ち、主動作ユニットから副ユニットに送られる待機時間と比較される。
【００１４】
本発明の別の改良点は、待機時間が経過した後にカウンターが再始動され、次の動作期間の開始時間を定めるために使われる時間インジケータを主動作ユニットに供給するために、進行中のカウントが第２比較値と比較されることである。
【００１５】
この様にして作られて、次の動作期間の開始時間を定めるために必要とされる時間インジケータは、原則として、電圧供給のためのスイッチオン時間から或る時間間隔を置いており、それは随意の一定値に前もって決められて良いけれども普通は回路デザインにより固定される、待機時間の終わりに対応する値に前もって決められる。待機時間を調節すれば主動作ユニットのための電圧供給のスイッチオン時間を所定時間にすることが可能となり、その所定時間は、２つの動作期間の間の時間をエネルギー節約モードのために最善に使うのに充分に遅いけれども、主動作ユニットがその高速クロック発生器の安定した動作を確保すると共に次の動作期間のために状況メモリーから動作状態データを取り戻すのに充分な時間をもてるように、充分に早い。
【００１６】
本発明の方法では、主動作ユニットから供給されるソフトウェア・リセット・コマンドの助けによってカウンターが始動される。これにより、本発明の方法を実行するための回路において、１本のデータラインをリセット・コマンドのために使うことができるので、主動作ユニットと副ユニットとの間の信号ラインの数を減らすことができる。
【００１７】
連続する２つの動作期間の間の期間をより良く利用できるように主動作ユニットをオンオフするプロセスの持続時間をなるべく短く保つために、本発明の特別に好ましい改良点は、主動作ユニットについての動作状態データを副ユニットの状況メモリーに蓄積すると共にその動作状態データを該状況メモリーから読み出すためにクロック信号を該主動作ユニットから該副ユニットに送る。従って、本発明では、主動作ユニットのための高速クロックは動作状態データを蓄積したり読み出したりするために使用され、スイッチオフ・プロセスもスイッチオン・プロセスも不要に長引かされない。
【００１８】
その間に主動作ユニットがもっと高いレベルの通信装置とデータを交換する、定期的に繰り返されるタイムスロットに主動作ユニットの動作期間が調和しているならば、即ち例えばもし移動通信ユニットのサブモジュールの主動作ユニットが無線インターフェースを介してその主モジュールと通信するならば、本発明の方法を好都合に利用することができる。
【００１９】
本発明の他の発展形では、少なくとも複数の動作期間から成る期間の間定期的に繰り返される外来の事象によって、特に主動作ユニットが受信することのできるバーストによって、即ち時分割多重アクセス方法で使われる信号束によって、次の動作期間が開始される。
【００２０】
しかし、外来の事象に依存せずに動作期間を開始する高レベル通信装置の場合には、本発明を特に有利に利用することができる。この場合、本発明では、いずれの場合にも、時間インジケータの助けで動作期間開始時間が定められたならば直ぐに動作期間を開始する。
【００２１】
本発明の特に好ましい改良形では、主動作ユニットは、動作期間中スイッチオン後にその電圧供給を維持すると共に該動作期間終了後に自分をオフに切り換えるためにスイッチオン・ホールド信号を作る。
【００２２】
本発明の通信装置、特に定期的に繰り返されるタイムスロットの間に主モジュールとデータを交換する移動通信ユニットの副モジュールは、割り当てられた機能を実行するための主動作ユニットと、該主動作ユニットについての動作状態データのための状況メモリーを有する副ユニットと、該主動作ユニットのための電圧供給を制御するタイミング回路とを有する。
【００２３】
この場合、そのカウンター出力が比較回路の１入力に接続されているクロックド・カウンターをタイミング回路が持っていて、この比較回路が、該主動作ユニットの電圧供給のためのスイッチオン信号を作るために該カウンターからのカウントを該主動作ユニットにより定められる比較値と比較し、該比較回路の１出力が該スイッチオン信号を期間中放出するホールド回路に印加されるようになっていると特に有利である。
【００２４】
この場合、該タイミング回路が第２の比較回路を持っていて、該主動作ユニットの次の動作期間の開始時間を定める時間インジケータを与える出力信号を該主動作ユニットに印加するために該第２比較回路が該カウントを第２比較値と比較するようになっていると好都合である。
【００２５】
本発明の好都合な改良形では、該第２比較回路の出力信号はゲート回路を介してインジケータ信号として該主動作ユニットに供給され、このゲート回路は、スイッチオン・プロセスのタイプを表すイネーブル信号によって制御される。この様に、追加の動作状態情報を副ユニットから主動作ユニットに送るために、追加のデータ・ラインや信号ラインをこの目的のために必要とすることなく、待機時間を設定するために必要なインジケータ信号を使用することができる。特に、その追加の動作状態情報は、主動作ユニットが完全にオフになっている状態からオンにされるのか、それともエネルギー節約モードからオンにされるのかに関する情報から成っていて良い。
【００２６】
通信装置の電力消費量を更に減らすために、本発明では、該通信装置に付随する別の電子装置に統合されているクロック発生器によって該副ユニットのカウンターが刻時される。該通信装置に付随する別の電子装置に設けられている外部クロック発生器を用いれば、エネルギー節約モード中に副ユニットで起動される負荷の数を更に減らすことができる。特に、副ユニットは電圧調整器を必要としないので、普通はエネルギー節約モードにおいて最大の負荷であるこの負荷を省略することによって電力消費量を相当減らすことができる。
【００２７】
更に、この場合、副ユニットを主動作ユニットとは別に他の電子装置に配置することができるので、別の通信装置のための電圧源を副ユニットのための電圧源として使うことができる。これにより、通信装置の電池又は再充電可能な蓄電池に加わる負荷が更に減少する。
【００２８】
動作状態データを高速に蓄積したり読み出したりするために、主動作ユニットと副ユニットとの間でのデータ交換のためにクロック信号ラインとデータ・ラインとを有するバスが設けられていて、動作状態データを状況メモリーに蓄積したり状況メモリーから読み出したりするために高速のメモリー及び読み出しクロックを副ユニットに送れるようになっていると好都合である。
【００２９】
次に、例を挙げ、図面を参照して本発明をいっそう詳しく説明する。
【００３０】
【発明の実施の形態】
互いに対応するコンポーネント及び信号にはいろいろな図において同じ参照記号が付されている。
【００３１】
図１は、特に移動通信ユニットの副モジュールである通信装置を示しており、この通信装置は主動作ユニット１０と副ユニット１１とを有し、それらは共に電圧源１２から給電される。主動作ユニット１０は、制御ユニット１３としてマイクロコンピュータ・ユニットＭＣＵを持っており、これはデータ通信を実行するための機能ブロック１４を制御する。機能ブロック１４は送受信回路１５に接続されており、これにアンテナ１６が接続されている。主動作ユニット１０をオンオフする操作に関わるプロセスを制御するためにエネルギー節約モード制御回路１７が設けられており、この制御回路を、以下の記述では、略してモード制御回路１７と称する。
【００３２】
副ユニット１１は状況メモリー１８を有し、主動作ユニット１０の電圧供給が完全にオフにされた時に該主動作ユニットについての動作状態データが該メモリー１８に蓄積される。主動作ユニット１０と副ユニット１１との間で動作状態データ及び制御データを交換できるように、クロック信号ライン１９’とデータ・ライン１９”とを有するバス１９が主動作ユニット１０を副ユニット１１に接続している。主動作ユニット１０がオンにされる時間を監視するためにタイミング回路２０が副ユニット１１に設けられており、このタイミング回路２０は、次の動作期間のためにスイッチオン信号ＯＮ−ＮＢをＯＲゲート２１に供給して主動作ユニット１０を再びオンにし、このゲート２１からの出力信号は、スイッチオン信号ＯＮとして、主動作ユニット１０のための電圧供給のスイッチ２２を駆動する。ＯＲゲート２１には主動作ユニット１０からスイッチオン・ホールド信号ＯＮ−Ｈも供給される。最後に、最初に通信装置をオンにするために、スイッチオン信号１．−ＯＮをＯＲゲート２１の第３入力に供給することができる。
【００３３】
更に、副ユニット１１は制御回路２３を有し、この回路は、必要なときに、主動作ユニット１０からの情報及びデータの転送と、その情報及びデータをタイミング回路２０に渡すプロセスとを制御する。
【００３４】
図２に示されているように、タイミング回路２０はカウンター２４を有し、該カウンターは、入力２５に印加されたクロック信号ＣＬＫをカウントし、出力２６を介して現在のカウントＡを第１比較回路２７及び第２比較回路２８にそれぞれ供給する。第１比較回路２７には、主動作ユニット１０のモード制御回路１７からバス１９及び制御回路２３を介してスイッチオン時間Ｂが供給され、このスイッチオン時間Ｂは、カウンター２４をリセットする操作とスイッチオン時間ｔｅとの間の待機時間Ｔｗ（図３を参照）に対応し、これとカウンター２４の現在のカウントＡとが比較される。図３に示されているように、カウンター２４のリセットは最後の動作期間EB(n - 1) の終わりと一致して良い。しかし、エネルギー節約モードをなるべく長くするために、現在の動作期間の完了前に、一定方法で前もって決められるなるべく早い時間にカウンター２４を再スタートさせるのが有利である。
【００３５】
カウンター２４の現在のカウントＡがスイッチオン時間Ｂと一致したとき、第１比較回路２７は適切な信号をホールド回路２９へ出し、このホールド回路は或る時間（Te,max +  ΔTe) にわたってスイッチオン信号ＯＮ−ＮＢをＯＲゲート２１に供給する。同時に、第１比較回路２７の出力信号はカウンター２４のリセット入力Ｒに印加され、該カウンターをリセットする。いずれの場合にも主動作ユニット１０の動作期間EBn の終わり頃にカウンター２４をリセットして次の動作期間EB(n + 1) のためのスイッチオン時間を監視するために、第１比較回路２７からのリセット信号に加えて、カウンター２４には、バス１９及び制御回路２３を介してモード制御回路１７から好ましくはソフトウェア・コマンドであるリセット信号TCも供給される。
【００３６】
第２比較回路２８は、制御回路２３を介してインジケータ時間Ｃを受信して論理信号IND'を作り、この信号は、例えばＡＮＤゲートであるゲート回路３０を介して論理信号IND として主動作ユニット１０に供給される。信号IND'は、現在のカウントＡがインジケータ時間Ｃより小さい間は論理“１”にとどまる。現在のカウントがインジケータ時間Ｃより大きくなると、直ちに、信号IND'は論理値“０”をとる。ゲート回路３０は、通信装置が最初にオンにされると、直ちにイネーブル信号Ｆによって作動可能にされる。従って、通信装置が始めてオンにされると、第２比較回路２８から供給される信号IND'はインジケータ信号IND としてゲート回路３０から主動作ユニット１０に送られる。
【００３７】
次に、図１及び２を参照して説明した通信装置で本発明の方法をどの様に実行するかを図３及び４を用いて説明する。
【００３８】
個々の動作期間EBに対するスイッチオン信号ＯＮのプロフィール（図３に示されている）が示しているように、主動作ユニット１０の供給電圧は、エネルギー消費をなるべく少なくするために個々の動作期間EBと動作期間EBの間はオフにされる。例えば受け取った個々のバーストにより、即ち時分割多重アクセス方法で使われるような信号束により、個々の動作期間EBを画定することができる。
【００３９】
主動作ユニット１０をオフにするために、モード制御回路１７は、それぞれの動作期間EBの終わり頃に、バス１９のデータ・ライン１９”及び副ユニット１１の制御回路２３を介してタイミング回路２０にリセット信号ＴＣを出力し、この信号はカウンター２４をリセットするが、この動作はカウンター２４を始動させることに対応する。第１比較回路２７の出力とホールド回路２９の出力とは依然として論理値“０”にとどまっており、第２比較回路２８からの信号IND'は論理値“１”をとる。通信装置が通常の動作をしている間はイネーブル信号Ｆは論理値“１”となっているので、ゲート回路３０は作動可能にされて第２比較回路２８からの信号IND'を変化させることなくインジケータ信号IND として主動作ユニット１０へ放出する。
【００４０】
図示されている模範的実施例では、電圧供給がＯＮにされると（それはこの場合にはカウンター２４のリセットと同時に行われる）、主動作ユニット１０の次の動作期間に関連する動作状態データがバス１９を介して副ユニット１１に送られて、その状況メモリー１８に蓄積される。高速メモリー動作を可能にするために、データがバス１９のデータ・ライン１９”を介して送られるのと同時にクロック信号がバス１９のクロック信号ライン１９’を介して送られ、このクロック信号は状況メモリー１８への動作状態データの書き込み動作を刻時するために使われる。
【００４１】
主動作ユニット１０の高速クロック信号は、高速クロック発生器によって普通はＭＨｚ範囲の周波数で作られ、この目的のためにクロック信号として使われる。全ての動作状態データが状況メモリー１８に保存され終わると、自己ラッチ信号（a self-latching signal）として使われるスイッチオン・ホールド信号ＯＮ−Ｈが論理値“０”にセットされ、ＯＲゲート２１からの出力信号ＯＮも時間ｔａにおいて値“０”をとる。従って、主動作ユニット１０の電圧供給をスイッチングするスイッチ２２は、そのオフ状態に切り換えられる。従って、主動作ユニット１０は完全にオフにされ、電圧源１２が給電しなければならないのは副ユニット１１だけとなる。
【００４２】
従って、状況メモリー１８と、タイミング回路２０と、インジケータ時間Ｃとイネーブル信号Ｆとを供給する制御回路２３とだけが、割合に低速のクロック発生器（これは図には示されていなくて、例えばＫＨｚ範囲で動作する）と共に、なお電圧の供給を必要とする。本発明はクロック信号発生器の周波数の絶対精度に依存していないので、クロック信号発生器を無調整電圧で動作させることもできるから、割合に低速の（即ち、低周波数で動作する）クロック発生器は、例えば３２ＫＨｚで動作し、割合に低い電力消費量を可能にする。電圧調整器はゼロ入力電流があるために普通は電流消費量が割合に多いのであるけれども、この場合には特に電圧調整器を省略したことから電力消費量の減少がもたらされている。
【００４３】
クロックド・カウンター２４が対応する待機時間Ｂと一致するカウントＡを供給し、従ってスイッチオン時間ｔｅを画定したならば、直ちに、第１比較回路２７からの出力信号は値“１”をとるので、ホールド回路２９からの出力信号ＯＮ−ＮＢも値“１”をとり、それは、図４を参照していっそう詳しく説明する期間にわたって維持される。ホールド回路２９からの出力信号ＯＮ−ＮＢはＯＲゲート２１を介してスイッチオン信号ＯＮとしてスイッチ２２に印加され、主動作ユニット１０のための電圧供給がオンにされる。同時に、カウンター２４がリセットされる。従って、カウンター２４がリセットされた後、カウンター２４のカウントＡはインジケータ時間Ｃより小さいから、第２比較回路２８からの信号IND'は論理値“１”をとる。再びオンにスイッチングするプロセスが待機状態又は休眠モードから行われる、ここで解説している場合には、イネーブル信号Ｆがゲート回路３０を作動可能にするので、信号IND'はゲート回路３０を介してインジケータ信号IND として主動作ユニット１０に供給される。
【００４４】
しかし、オンに切り替わるプロセスが完全にオフになっている状態から行われるのであれば、ゲート回路３０はイネーブル信号Ｆによって抑止され、その論理値はこのとき“０”であるので、インジケータ信号IND も論理値“０”をとる。
【００４５】
電圧供給がオンにされ、主動作ユニット１０の基本機能が起動され、特に高速クロック発生器が安定状態で動作するようになったならば、モード制御回路１７は、先ず、主動作ユニット１０が完全にオフになっている状態（IND = 論理“０”）からオンに切り換えられたのか、それともエネルギー節約モード（IND = 論理“１”）からオンに切り換えられたのかを明らかにする。インジケータ信号IND はこの目的のために問い合わされたのであり、これは、図３に示されているようにスイッチオン時間ｔｅ後には値“１”をとる。従って動作状態データがバス１９を介して状況メモリー１８から読み出され、主動作ユニット１０において高速クロック発生器によって例えば１８ＭＨｚの周波数で作られる高速クロックが再び読み出しクロックとして使われるようになる。次の動作期間EBn のために必要な動作状態データが全て読み出されると共に前記データから作り直すことのできる他の動作パラメータが作られると、直ちに、主動作ユニット１０をオンに切り換えるプロセスは完了する。主動作ユニット１０から副ユニット１１のＯＲゲート２１に供給されるスイッチオン・ホールド信号ＯＮ−Ｈは、タイミング回路２０からの出力信号に関わらずにスイッチ２２をオンに保つために論理値“１”をとる。
【００４６】
もし、時間ｔｂにおいて主動作ユニット１０をオンに切り換えるプロセスが完了したならば（図４を参照）、スイッチオン・ホールド信号ＯＮ−Ｈは値“１”をとり、スイッチオン信号ＯＮ−ＮＢは次の動作期間の間再び“０”になることができる。主動作ユニット１０をオンに切り換えるプロセスのための期間ｔｅに揺らぎがあった場合にも電圧供給を確保するために、ホールド回路２９は、主動作ユニット１０をオンに切り換えるプロセスのために最大期間Ｔｅ，ｍａｘが経過した後に、時間ΔＴｅも経過するまで次の動作期間EBn のためにスイッチオン信号ＯＮ−ＮＢを論理値“１”に保つ。このために、スイッチオン信号ＯＮを形成するためにＯＲゲート２１に印加される２つの信号ＯＮ−ＮＢ及びＯＮ−Ｈが少なくとも期間ΔＴｅの間は同時にＯＲゲート２１に印加されるので、主動作ユニット１０への電圧供給は、主動作ユニット１０をＯＮに切り換えるプロセスがこの目的のための最大許容時間Ｔｅ，ｍａｘを消費する場合にも、確実にオンに保たれる。
【００４７】
２つの連続する動作期間EB(n - 1) とEBn との間の実際のスイッチオフ時間Ｔａをなるべく長くし、そしてそのことによってなるべく多くのエネルギーを節約するために、モード制御回路１７は次の動作期間の実際の開始時間ｔＢ（それは、例えば通信装置の場合には、バーストの到来によって識別される）に対するスイッチオン時間ｔｅの相対的位置を監視する。インジケータ信号IND はこの目的のために使われ、それはカウンター２４のカウントＡがインジケータ時間Ｃと一致したときｔｉに値“１”から値“０”に変化する。この遷移、即ち時間ｔｉにおけるインジケータ信号IND の立ち下がり側部は、インジケータ時間Ｃを介してスイッチオン時間ｔｅと関連する時間インジケータとして使われる。従ってインジケータ時間Ｃは主動作ユニット１０のオンへの切り替わり（即ちカウンター２４のリセット）とインジケータ時間Ｃへの到達との間の時間（ｔｉ−ｔｃ）に対応する。
【００４８】
時間ｔｉにおけるインジケータ信号IND の立ち下がり側部と次のバーストの発生（その始まりは次の動作期間EBn の始まりｔＢを識別する）との間の時間間隔は、例えば、モード制御回路１７のカウンター（これは主動作ユニット１０の高速クロック発生器によって刻時される）によって検出されて、所定基準値（ｔＢ−ｔｉ）ｎｏｍと比較される。この場合、この基準値は、動作期間EBn と関連して図３に示されているように、正に選択されている。
【００４９】
インジケータ信号IND の立ち下がり側部と、関連する動作期間の開始との間の現在検出されている時間間隔（t Ｂ - tｉ）が所定基準値(tＢ - tｉ) ｎｏｍと比べてこの時間インジケータが次の動作期間が開始する時間に対して相対的に“早い”方向にずれていることを示しているならば、動作期間EB(n - 1) の終わり（t Ｅ）から次の動作期間EBn のスイッチオン時間t ｅまでの待機時間T ｗを、スイッチオン時間Ｂを大きくすることによって、増大させることができる。逆に、次の動作期間EBn が開始する時間t Ｂに関して所望のスイッチオン時間t ｅが“遅い”方向にずれていることを時間インジケータが示しているならば、スイッチオン時間Ｂは減らされる。
【００５０】
時間インジケータと次の動作期間の実際の開始（t Ｂ) との間の時間間隔（t Ｂ - tｉ) を監視することによって、特に、割合に簡単なカウンター２４を使うことが可能となり、このカウンターは、それが一定である限りは随意の周波数で刻時されて良い。この目的のために割合に単純なクロック発生器を使うことができ、それは調整される電圧を必要としないので、電圧調整器を設けなくても良い。インジケータ信号IND の助けによって作られる時間インジケータを監視することによって、クロック周波数と基準値との食い違いを補償することができる。副ユニット１１において電圧調整器を使わなくても済むので、その電力消費量をもっと減らすことが可能になる。
【００５１】
外来の事象によって動作期間が開始されるようになっている低レベル通信装置のためにだけではなくて、それぞれの次の動作期間の開始を画定するために高レベル通信装置のためにも時間インジケータを使うことができる。この場合、時間インジケータの発生の後に経過した時間が検出されて、時間インジケータと次の動作期間が開始する時間t Ｂとの間の時間間隔についての基準値(tＢ - tｉ) ｎｏｍと比較される。時間がその基準値に達したならば、次の動作期間EBが開始される。カウンター２４のためのクロック周波数の基準値からの偏差を補償できるように、カウンター２４を刻時するクロック発生器は主動作ユニット１０の高速クロック発生器と比較される。
【００５２】
この目的のために、通信装置が使われ始めたならば測定及び監視のサイクルが好ましくは実行され、そのサイクル中に、主動作ユニット１０のための電圧供給をオフに切り換えることなく副ユニット１１のカウンター２４が動作期間EBの終わり頃に始動される。時間インジケータ、即ちインジケータ信号IND の立ち下がり側部がスイッチオン時間t ｅ後に時間t ｉにおいて検出されると、直ちに、主動作ユニット１０の高速カウンターのカウントが検出されて基準値として蓄積される。その後、通常動作時には、主動作ユニット１０のための電圧供給がオンに切り換えられると、その高速カウンターは、時間インジケータが発見されると直ちにこの基準値にセットされる。
【００５３】
時間インジケータの時間t ｉに存在するカウントを監視サイクルにおいて該時間インジケータが発生したときに存在するべき基準値と比較して、この比較に基づいて、該時間インジケータがいずれの場合にも所定絶対時間において作られることとなるようにタイミング回路２０において第１比較回路２７のための待機時間Ｂを変更することができる。
【００５４】
例えばその立ち下がり側部が時間インジケータを供給するインジケータ信号IND を、必要なスイッチング・オン・プロセスの性質を示すイネーブル信号Ｆと結びつけることにより、エネルギー節約モードから通常動作への切り換えを制御するために２つの情報項目を単一のラインを介して副ユニット１１から主動作ユニット１０へ送ることが可能となる。
【００５５】
更に、データ・ライン１９”とクロック・ライン１９’とを有するバス１９を用いることにより、主動作ユニット１０と副ユニット１１との接続を電気回路に関して極めて簡単に設計することが可能となっており、通信装置内の副ユニット１１を電圧供給に関して主動作ユニット１０から分離できるだけではなくて、副ユニット１１をそれに付随して連続的に動作する通信装置の主動作ユニット１０とは別に設けることができる。動作状態データを状況メモリー１８から読み出したり該メモリーに書き込んだりするために主動作ユニット１０の高速クロックを用いることにより、動作期間EBの終わりと、主動作ユニット１０のための電圧供給がオフに切り換えられる時間との間の時間(tａ - tＥ) と、スイッチオン時間T ｅとを短く保つことができて、連続する２つの動作期間EBの間の、主動作ユニット１０がオフに切り換えられている実際の時間T ａが長くなる。
【図面の簡単な説明】
【図１】本発明による通信装置の略ブロック図である。
【図２】図１の通信装置におけるタイミング回路の略ブロック図である。
【図３】主動作ユニットをオフにする時間をその動作期間に対して相対的に示すタイミング図である。
【図４】図３における領域Ａを時間を拡大して示す図である。
【符号の説明】
１０…主動作ユニット
１１…副ユニット
１８…状況メモリー
２０…タイミング回路
２４…クロックド・カウンター
２７…比較回路
２９…ホールド回路
３０…ゲート回路
【図１】
0004307617.tif 000002
【図２】
0004307617.tif 000003
【図３】
0004307617.tif 000004
【図４】
0004307617.tif 000005